(57)【特許請求の範囲】
【請求項１】
パチンコ玉の有無によりオン・オフされるスイッチング回路を内蔵した検出部と、該検出部と接続され、スイッチング回路の動作状態により、前記パチンコ玉の有無を認識する認識部とを備えたパチンコ玉検出装置であって、
前記検出部は、
パチンコ玉の非検出状態で発振しパチンコ玉が近接したとき発振を停止し、該発振の有無に応じて前記スイッチング回路をオン・オフする発振回路と、
該検出部の動作電圧を端子間に供給される第１および第２端子と、
該第１，第２端子間に設けられ、前記スイッチング回路のオン・オフ状態により、前記第１端子から前記第２端子へと流れる電流の大きさを切り替える二つの電流路と、
該電流路に設けられ、流れる電流の大きさによりツェナー電圧が上昇する特性を有するツェナーダイオードと、を備え、
該ツェナーダイオードを、該ツェナー電圧の上昇により前記発振回路の発振を停止しにくくして、該スイッチング回路のオン・オフにヒステリシスを付与するよう前記発振回路に接続し、
前記認識部は、
前記第１端子に、前記検出部による検出電圧より高い電源電圧を供給し、
前記第２端子を、所定抵抗値の抵抗器を介して、接地し、
前記スイッチング回路のオン・オフにより前記抵抗器を介して流れる電流が変化することによって、前記検出電圧と略０ボルトの間で切り替わる前記第２端子の端子電圧を検出することにより、前記検出部における前記パチンコ玉の有無を検出する
パチンコ玉検出装置。
【請求項２】
前記検出部は、コイルまたはコンデンサを用いて前記発振回路を形成する請求項１記載のパチンコ玉検出装置。
【請求項３】
前記検出部は、前記二つの電流回路に、前記ツェナーダイオードと共に抵抗値の異なる二つの抵抗器を設けた請求項１記載のパチンコ玉検出装置。
【発明の詳細な説明】
【０００１】
【発明の属する技術分野】
本発明は、非接触でパチンコ玉の存在を検出するパチンコ玉検出装置に関する。
【０００２】
【従来の技術】
従来、この種のパチンコ玉検出装置は、パチンコ台や玉貸器での払い出し玉の検出等に用いられており、光学的な手法により非接触でパチンコ玉を検出するものが知られている。例えば図９に示すように、パチンコ玉の通路を横切る位置に投光器Ｓと受光器Ｄとを設け、パチンコ玉Ｐが投光器Ｓからの検出光を遮ることで、パチンコ玉Ｐの存在を検出するのである。こうしたパチンコ玉の検出装置としては、パチンコ玉が検出光を遮る度にパルス信号を出力するもの、あるいはパチンコ玉が存在する間、アクティブなレベル信号を出力するものがある。
【０００３】
後者の信号について、実際の構成に即して説明する。例えばパチンコ台で景品球を払い出す際には、複数個のパチンコ玉が連続して排出される。従って、景品球の払い出し機構では、パチンコ玉を縦列させ、払い出しに足りる個数のパチンコ玉が揃ったか否かを、先頭から所定個数目のパチンコ玉の位置に検出装置を設け、その出力信号の状態を監視することで検出している。
【０００４】
【発明が解決しようとする課題】
しかしながら、光を用いた従来のこうしたパチンコ玉検出装置では、電源電圧の供給用の接続と、検出用の接続とが個別に必要となり、接続が複雑化するという問題があった。本発明のパチンコ玉検出装置は、配線を簡素化することを目的としてなされ、次の構成を採った。
【０００５】
【課題を解決するための手段およびその作用・効果】
本発明のパチンコ玉検出装置は、
パチンコ玉の有無によりオン・オフされるスイッチング回路を内蔵した検出部と、該検出部と接続され、スイッチング回路の動作状態により、前記パチンコ玉の有無を認識する認識部とを備えたパチンコ玉検出装置であって、
前記検出部は、
パチンコ玉の非検出状態で発振しパチンコ玉が近接したとき発振を停止し、該発振の状況に応じて前記スイッチング回路をオン・オフする発振回路と、
該検出部の動作電圧を端子間に供給される第１および第２端子と、
該第１，第２端子間に設けられ、前記スイッチング回路のオン・オフ状態により、前記第１端子から前記第２端子へと流れる電流の大きさを切り替える二つの電流路と、
該電流路に設けられ、流れる電流の大きさによりツェナー電圧が上昇する特性を有するツェナーダイオードと、を備え、
該ツェナーダイオードを、該ツェナー電圧の上昇により前記発振回路の発振を停止しにくくして、該スイッチング回路のオン・オフにヒステリシスを付与するよう前記発振回路に接続し、
前記認識部は、
前記第１端子に、前記検出部による検出電圧より高い電源電圧を供給し、
前記第２端子を、所定抵抗値の抵抗器を介して、接地し、
前記スイッチング回路のオン・オフにより前記抵抗器を介して流れる電流が変化することによって、前記検出電圧と略０ボルトの間で切り替わる前記第２端子の端子電圧を検出することにより、前記検出部における前記パチンコ玉の有無を検出すること
を要旨とする。
【０００６】
かかる構成によれば、検出部と認識部との結線は、第１，第２端子のみで済み、電源供給用の接続と検出用の接続とを簡素化することができる。更に、スイッチング回路のオン・オフによりツェナー電圧が変化することによって、発振回路の発振条件に正帰還をかけ、結果的にスイッチング回路のオン・オフにヒステリシスを付与することができる。
【０００７】
なお、発振回路は、コイルもしくはコンデンサを用いて構成することができ、これらのコイルまたはコンデンサは、筐体に収納されていてる形態としてもよいし、コイルもしくはコンデンサの一部が収納された形態としてもよい。また、コイルもしくはコンデンサは、回路基板に直接半田付けなどの方法で固定してもよいし、回路基盤とは個別に設けてもよい。
【０００８】
こうしたパチンコ玉検出装置では、パチンコ玉が存在しない場合、発振回路は、検出部にコイルを採用した場合には、コイルのインダクタンス成分を用いて発振する構成とすることができる。この場合、コイルの近傍にパチンコ玉が近づき、コイルが形成する磁束がパチンコ玉を横切る状態になると、主に渦電流損失により発振エネルギは失われ、発振回路の発振状態が変化して通常発振は停止する。スイッチング回路は、この発振回路の発振状況に応じてオン・オフされ、抵抗器を流れる電流の大きさが変化し、第２端子の端子電圧を検出することにより、パチンコ玉の有無を検出することができる。
【０００９】
スイッチング回路のオン・オフにより電流を異ならせて、パチンコ玉の有無を検出する構成は、例えば電流の大きさを切り換える回路として、ツェナーダイオードと抵抗値の異なる二つの抵抗器とを設けた構成などを考えることができる。スイッチング回路に設けられたスイッチング素子のオン・オフにより、ツェナーダイオードといずれかの抵抗器とを通る回路を構成すればよい。こうしたツェナーダイオードは、流れる電流の大きさによりツェナー電圧が上昇する特性を有するタイプのものを用いる。
【００１０】
発振回路の発振状況を変化させることは、パチンコ玉の有無に基づく渦電流損失による発振エネルギの消耗に代えて、パチンコ玉の通路を跨ぐ位置にコンデンサを形成する電極を設け、この電極間をパチンコ玉が通過する構成によっても達成される。
【００１１】
【発明の実施の形態】
以上説明した本発明の構成・作用を一層明らかにするために、以下本発明のパチンコ玉検出装置の好適な実施例について説明する。図１は実施例としてのパチンコ玉検出装置の構造を示す断面図、図２は同じくその回路、図３はこのパチンコ玉検出装置が配設されるパチンコ台の概略構成図、である。
【００１２】
まず、パチンコ台の構成から説明する。パチンコ台は、図３に示したように、機枠１と、機枠１の前面に開閉自在に取り付けられた前枠３と、前枠３の裏面に着脱自在に装着される遊技盤５を中心に構成されている。遊技盤５の裏面には、種々の機構が登載される機構板７が回動自在に取り付けられており、この機構板７の裏面上部には、図示しないパチンコ玉送給装置から送給されるパチンコ玉を貯める景品球タンク１０が固定されている。この景品球タンク１０の下方には、景品球となるパチンコ玉を、２列に縦列させて導き出す導出樋１２が形成されており、その下端にパチンコ玉の送り出し装置２０が装着されている。また、前枠３下部には、玉発射装置１４が取り付けられている。
【００１３】
導出樋１２の途中には、送り出し装置２０が動作するのに十分な数のパチンコ玉が溜まっていない場合にこれを検出する玉補給インターロックスイッチ１５が設けられている。また、導出樋１２の末端、送り出し装置２０の直前には、導出樋１２での玉詰まり等を検出する玉詰まりインターロックスイッチ１７と、パチンコ玉検出装置の一実施例である玉確認スイッチ１８が設けられている。また、送り出し装置２０のパチンコ玉排出側直下には、同じ他の実施例である景品球確認スイッチ１９が設けられている。送り出し装置２０は、インターロックスイッチ１７がオフで玉確認スイッチがオンの場合にのみ、送り出されるパチンコ玉を景品球確認スイッチ１９により確認しつつ景品球の送り出しを行なう。
【００１４】
なお、玉補給インターロックスイッチ１５，玉詰まりインターロックスイッチ１７，玉確認スイッチ１８，景品球確認スイッチ１９は、２列設けられた導出樋１２の各々に応じて、２個ずつ設けられているが、同一の構成なので以下の説明では一方のみを示す。また、玉確認スイッチ１８，景品球確認スイッチ１９の構成と働きについては、送り出機構２０の構成および働きと併せて、後で詳解する。
【００１５】
送り出し装置２０による景品球の送り出しは、入賞球に応じて行なわれるが、この入賞球は、入賞球導出路２３に設けられた検出器２４により検出される。入賞球は、入賞した役物の種類等に応じて３つに区別されており、検出器２４も３組設けられている。パチンコ玉の送り出しを開始するための信号という意味で、これを第１，第２，第３スタートスイッチ（２４ａ，ｂ，ｃ）と呼んでいる。なお、これらのスタートスイッチの一つ、例えば第３スタートスイッチ２４ｃを、パチンコ台に隣接して設けられた玉貸し機等の作動スイッチとして用いることも考えられる。この場合、第３スタートスイッチ２４ｃからの信号に応じて、玉貸し機は、所定個数のパチンコ玉を貸し出す。
【００１６】
送り出し装置２０の下方には、送り出し装置２０によって計数されて放出されたパチンコ玉を前枠３の前面に設けられた上皿および下皿に導く放出樋２６が設けられている。なお、放出樋２６と上皿，下皿との接続部近傍には、上皿および下皿にパチンコ玉が一杯になったことを検出する上下皿インターロックスイッチ２７が設けられている。
【００１７】
次に、送り出し装置２０の構成について説明する。送り出し装置２０は、図４，図５に示すように、上下に開口した中空の角筒体形状のケース２９を有し、その内部の導出樋１２の下端に対応した位置に、２列の玉通路３１，３２を備える。また、ケース２９の内部には、ケース２９の壁面に両端が支持された横軸３５が設けられ、この横軸３５に２つの玉切り円盤４１，４２が連結筒部４３により一体かつ横軸３５に対して回転自在に軸支されている。
【００１８】
各玉切り円盤４１，４２は、外周の１３箇所に半円状の切欠Ｐａを有する２枚のスプロケット４４と、このスプロケット４４を両側に固定したブラケット４５とから構成されている。玉切り円盤４１，４２は、その外周が、図４に示すように、玉通路３１，３２の内部に臨む位置に設けられている。また、スプロケット４４の外周に設けられた切欠Ｐａの径が、パチンコ玉とほぼ同一であることから、玉切り円盤４１，４２が回転すると、玉通路３１，３２内のパチンコ玉Ｂは一つずつ、放出樋２６へと送り出されることになる。なお、玉切り円盤４１，４２は、切欠Ｐａのピッチのちょうど１／２だけずれた回転位置で互いに固定されており、パチンコ玉の送り出しは、交互になされる。
【００１９】
２組の玉切り円盤４１，４２を連結する連結筒部４３の外周には、ウオーム歯車４６が固定されている。このウオーム歯車４６には、これを駆動するウオーム４７が噛み合わされている。このウオーム４７が取り付けられた軸４９は、一端がケース２９の外壁に回転自在に軸支され、他端がステッピングモータ５０の回転軸５１に固定されている。ステッピングモータ５０は、ケース２９外壁に固定されている。ステッピングモータ５０が回転すると、その回転軸５１に直結されたウオーム４７の回転を介してウオーム歯車４６が回転し、玉切り円盤４１，４２も回転する。玉切り円盤４１，４２の回転の状態を検出するために、玉切り円盤４２の一方のスプロケット４４を挟む位置に、赤外光を利用した透過型光検出器５５が設けられている。この透過型光検出器５５は、スプロケット４４の切欠Ｐａより、光が透過もしくは遮断する毎に、即ちパチンコ玉が１個送り出される毎に、パルス信号を送出する。
【００２０】
なお、この送り出し装置２０と玉確認スイッチ１８，景品球確認スイッチ１９との取付位置関係について説明すると、図５に示すように、玉確認スイッチ１８は、玉送り出し装置２０の玉通路３１，３２の直前に設けられており、景品球確認スイッチ１９は、その直下に設けられている。
【００２１】
次に、パチンコ台全体の制御を行なう電子制御装置６０について、図６を参照しつつ簡略に説明する。この電子制御装置６０は、周知の算術論理演算部やＲＯＭ，ＲＡＭ等を内蔵した１チップマイクロコンピュータ（以下、ＭＰＵという）６１を中心に構成されている。電子制御装置６０は、上述した各種スイッチおよびハンドル６２に設けられたタッチ検出スイッチ６３からの信号を取り込み、玉発射装置１４，玉送り出し装置２０あるいは入賞表示ランプなどの表示素子群６５等を制御する。
【００２２】
各種スイッチは、ＭＰＵ６１の入力ポートＰＡないしＰＢに、また玉発射装置１４などは出力ポートＰＣないしＰＥに、各々接続されている。ＭＰＵ６１とこれらのスイッチおよび外部装置との間には、接続される機器に応じたインタフェース回路が設けられているが、ここではその図示および説明を省略する。
【００２３】
本発明の実施例である玉確認スイッチ１８と景品球確認スイッチ１９の構成および電子制御装置６０との接続、更にパチンコ玉の検出の原理について説明する。図１に示すように、玉確認スイッチ１８および景品球確認スイッチ１９は、断面「コ」の字形の筐体７１を備え、この内部に基板７３を備える。この基板７３の一端は、筐体７１の外に飛び出しており、接続端子７５として用いられている。基板７３には、図２に示したトランジスタ等の電子部品が組み立てられている。
【００２４】
図１に示すように、コイルＬ１，Ｌ２は、「コの字形の筐体７１の突出した収納部８１，８２に収納される。収納部８１，８２の中心間距離、即ちコイルＬ１，Ｌ２の中心間距離は、パチンコ玉Ｂの直径の丁度１．５倍の距離とされている。
【００２５】
玉確認スイッチ１８と景品球確認スイッチ１９とは、玉確認スイッチ１８が２個のコイルＬ１，Ｌ２を備え、景品球確認スイッチ１９が１個のコイルＬ１のみを有する点を除いて、他は同一の回路構成なので、以下、玉確認スイッチ１８を例にとって説明する。玉確認スイッチ１８は、図２に示すように、１２ボルトが供給される電源端子Ｔ１と、ＭＰＵ６１の入力ポートＰＢ１に接続される検出端子Ｔ２とを有する。この検出端子Ｔ２は、回路のグランドレベルを兼ねており、電子制御装置６０側で抵抗器ＲＤを介して接地されている。玉確認スイッチ１８は、高周波発振回路ＣＯと、高周波発振回路ＣＯの発振状態に基づいてオン・オフするスイッチング回路ＳＷとから構成されている。
【００２６】
スイッチング回路ＳＷには、電源端子Ｔ１から１２ボルトの電圧が加えられているが、検出端子Ｔ２が抵抗器ＲＤ（本実施例では抵抗値６８０Ω）により接地されていることから、スイッチング回路ＳＷの電源電圧は、スイッチング回路ＳＷのトランジスタＴｒ２のオン・オフ状態により変化する。一方、高周波発振回路ＣＯには、電源端子Ｔ１と検出端子Ｔ２との間に介装された抵抗器Ｒ１（本実施例では抵抗値２７ＫΩ）とツェナーダイオードＤ１により安定化されたツェナー電圧Ｖｚ（本実施例では約５．５ボルト）が供給される。
【００２７】
高周波発振回路ＣＯは、特性が同一の２つのトランジスタを同一チップ内に形成した双トランジスタＴｒ１を備え、この双トランジスタＴｒ１の両エミッタとグランドラインとの間に介装された抵抗器Ｒ３，コンデンサＣ１，Ｃ２およびコイルＬ１，Ｌ２により、コルピッツ型の高周波発振回路として構成されている。なお、双トランジスタＴｒ１のベースは、抵抗器Ｒ２を介して電源ラインに接続されている。この高周波発振回路ＣＯの発振周波数は、コイルＬ１，Ｌ２のインダクタンスとコンデンサＣ１，Ｃ２の容量とで決まり、本実施例ではおよそ３００Ｋ［Ｈｚ］となっている。
【００２８】
双トランジスタＴｒ１のコレクタの一方は使用されていないが、他方はスイッチング回路ＳＷのトランジスタＴｒ２のベース端子に接続されている。このトランジスタＴｒ２のベース端子には、グランドラインとの間にコンデンサＣ３が接続されており、エミッタ端子には抵抗器Ｒ４（本実施例では２２０Ω）が接続されている。また、トランジスタＴｒ２のコレクタ端子は、電源ラインに接続されている。高周波発振回路ＣＯが発振している状態では、双トランジスタＴｒ１は約３００Ｋ［Ｈｚ］でオン・オフを繰り返しており、双トランジスタＴｒ１がオンのときには、そのコレクタ電流はスイッチング回路ＳＷのトランジスタＴｒ２のベースから流れ込んでトランジスタＴｒ２をターンオンする。一方、高周波発振回路ＣＯの発振により双トランジスタＴｒ１が僅かの時間オフとなる間は、トランジスタＴｒ２のベース電流はコンデンサＣ３の充放電により継続され、トランジスタＴｒ２はオン状態に保たれる。
【００２９】
高周波発振回路ＣＯが発振している状態で、コイルＬ１もしくはコイルＬ２にパチンコ玉Ｂが接近すると、コイルＬ１，Ｌ２の磁束がパチンコ玉Ｂを通り抜けることになり、パチンコ玉Ｂ内で渦電流損失を生じる。パチンコ玉Ｂは通常金属製であるが、パチンコ玉が金属以外の材料で作られ表面にメッキがしてある場合でも、メッキなどの薄膜では断面積が小さいことからかなり大きな渦電流損失となる。渦電流損失は高周波発振回路ＣＯの発振エネルギを消費することになるから、その高周波発振は著しく減衰しほぼ停止する。コイルＬ１，Ｌ２は同一の物なので、いずれのコイルにパチンコ玉が接近しても同様である。
【００３０】
パチンコ玉ＢがコイルＬ１，Ｌ２のいずれにも接近していない状態では、トランジスタＴｒ２はオン状態となっており、一方、高周波発振回路ＣＯの発振がほぼ停止状態となると、スイッチング回路ＳＷのトランジスタＴｒ２はターンオフする。抵抗器Ｒ４は抵抗器Ｒ１より抵抗値が小さいから（本実施例では２２０Ω：２７ＫΩ）、トランジスタＴｒ２がオン状態となると、電源端子Ｔ１からトランジスタＴｒ，抵抗器Ｒ４を介してツェナーダイオードＤ１に流れる電流は、抵抗器Ｒ１を介して流れる電流より増大する（およそ約１３０倍となる）。この電流は最終的には、検出端子Ｔ２に接続された電子制御装置６０内の抵抗器ＲＤを介して接地側に流れ込むから、抵抗器ＲＤの両端電圧、即ちＭＰＵ６１の入力ポートＰＢ１の電圧は、トランジスタＴｒ２がオフ状態で約０．２ボルト、オン状態で約４．９ボルトとなる。従って、ＭＰＵ６１は入力ポートＰＢ１の状態を監視することで、玉確認スイッチ１８がパチンコ玉Ｂを検出している状態（ロウレベル）、検出していない状態（ハイレベル）を容易に知ることができる。
【００３１】
なお、トランジスタＴｒ２がオン状態となってツェナーダイオードＤ１に流れる電流が上昇すると、ツェナーダイオードＤ１の特性によってはツェナー電圧Ｖｚはある程度上昇する。従って、高周波発振回路ＣＯの双トランジスタＴｒ１のベース電位が上昇し、高周波発振回路ＣＯの発振条件は強化される。一方、双トランジスタＴｒ１がオフ状態となればツェナー電圧Ｖｚは低下するから、発振条件は悪くなり、発振は停止し易くなる。即ち、本実施例の回路では、ツェナーダイオードのツェナー電圧の特性が悪い場合（電流が増大したときのツェナー電圧がある程度以上高くなるものの場合）、高周波発振回路ＣＯの発振条件に正帰還をかけ、コイルＬ１，Ｌ２にパチンコ玉が近づき遠ざかる場合のスイッチング回路ＳＷのスイッチング特性を改善している。なお、ツェナー特性の優れたツェナーダイオードＤ１を用いる場合には、図７に示すように、トランジスタＴｒ２のコレクタを抵抗器Ｒ５を介してグランドラインに接続すると共に、抵抗器Ｒ６を介して双トランジスタＴｒ１のベースに帰還させることで、同様の効果を得ることができる。
【００３２】
玉確認スイッチ１８のコイルＬ１およびＬ２は、図１に示したように、その中心間距離ＤＬは、パチンコ玉Ｂの直径の１．５倍となっている。従って、コイルＬ１の中心（磁束密度最大）にパチンコ玉Ｂの中心が位置しているとき、コイルＬ２の中心は、隣り合ったパチンコ玉の接触点にほぼ対応した位置となる。換言すれば、コイルＬ１の中心がパチンコ玉の中心からはずれるに従って、コイルＬ２の中心にパチンコ玉の中心が近づいてくることになる。従って、パチンコ玉が隣同士接した状態となっていれば、パチンコ玉全体が移動していても、コイルＬ１，Ｌ２の磁束のいずれかにより渦電流損失を生じ、高周波発振回路ＣＯの発振は常時ほぼ停止状態となり、スイッチング回路ＳＷのトランジスタＴｒ２はオフ状態となって、ＭＰＵ６１の入力ポートＰＢ１はロウレベルとなる。かかる動作原理は、コイルが３個以上となった場合も、同様である。
【００３３】
一方、景品球確認スイッチ１９にはコイルＬ２は存在しないから、パチンコ玉Ｂが通過する度に高周波発振回路ＣＯの発振は中断することになり、パチンコ玉がかなり近接した状態で連続して通過しても、パチンコ玉Ｂ１個１個の通過に応じて検出端子Ｔ２は短時間ロウレベルとなる。従って、電子制御装置６０のＭＰＵ６１は、入力ポートＰＢ２のレベルを監視することにより、景品球の通過を個別に検出してこれをカウントすることができる。
【００３４】
図８は、スタートスイッチ２４により入賞球が検出された場合に電子制御装置６０が実行する処理を簡略に示すフローチャートである。スタート信号に応じて景品球の払い出し個数Ｎを設定し（ステップＳ１００）、玉詰まりなどが生じておらず払い出しの条件が整っている場合に（ステップＳ１１０）、送り出し装置２０にパルス信号を送出する処理（ステップＳ１２０以下）に移行する。払い出しの処理では、玉確認スイッチ１８がパチンコ玉を検出しているか否かを判断し（ステップＳ１２０）、検出している場合には送り出し装置２０にパルス信号を送ってパチンコ玉Ｂの払い出しを開始する（ステップＳ１３０）。パルス信号を出力する度に景品球の個数Ｎから値１を引き（ステップＳ１４０）、Ｎが０になるまで上述したステップ１２０ないし１４０の処理を繰り返す（ステップＳ１５０）。景品球の払い出し残数Ｎが０になった場合には（ステップＳ１５０）、本ルーチンを終了する。
【００３５】
一方、払い出し条件が整わない場合、または玉確認スイッチ１８がパチンコ玉を検出できない場合には（ステップＳ１１０，１２０）、その状態が所定時間継続したか否かを判断する（ステップＳ１６０）。所定時間経過するまで確認を繰り返し、所定時間経過後はエラー処理を行なって（ステップＳ１７０）、本ルーチンを終了する。
【００３６】
送り出し装置２０から払い出されたパチンコ玉は景品球確認スイッチ１９により検出されるから、図示しない他の割込ルーチンによりこのパチンコ玉の数をカウントし、これが設定値Ｎに一致したか否かを監視することは容易である。送り出し装置２０等の故障により、払い出しているパチンコ玉の数と実際に払い出された数が異なる場合には、故障としてエラー処理を行なう。
【００３７】
以上、パチンコ台の構成およびその働きと共に説明したように、パチンコ玉検出装置の実施例である玉確認スイッチ１８と景品球確認スイッチ１９は、非接触でパチンコ玉を確実に検出することができる。しかも、玉確認スイッチ１８では、パチンコ玉が互いに接する程度の距離を保って移動する場合、コイルＬ１とコイルＬ２との中心間距離がパチンコ玉の直径の約１．５倍となっているので、これを検出して連続した信号を出力することができる。従って、従来のように検出信号に対して改めて処理を行なう必要がない。また、パチンコ玉１個１個に対してパルス信号を出力するタイプのものと、連続するパチンコ玉に対して連続する信号を出力するタイプとを、コイルＬ２とを除いて同一の構成で実現することができ、構成部品の共通化を図ることができる。
【００３８】
以上本発明の実施例について説明したが、本発明はこうした実施例に何等限定されるものではなく、例えばパチンコ玉の貸出器などパチンコ玉の数を計数して払い出す装置に用いた構成、検出用のコイルを３以上設けた構成、検出部が一つのパチンコ玉検出装置を複数個並べその出力を多入力ナンドゲートに接続し縦列したパチンコ玉の一つでも欠けた場合にこれを検出する構成、コイルＬ１，Ｌ２に代えてコンデンサＣ１の電極をパチンコ玉の通路を跨ぐように設けた構成、コイルＬ１とＬ２との間隔をパチンコ玉の直径の１．５倍以外の距離、例えば０．５倍や１．３倍など整数倍以外の距離とした構成など、本発明の要旨を逸脱しない範囲において、種々なる態様で実施し得ることは勿論である。なお、本発明はコイルの形成する磁束が金属物内で渦電流を生じて発振回路の発振エネルギを消費することに着目してなされたものであり、検出対象となる金属物は、パチンコ玉以外の例えばメタル、硬貨であっても差し支えない。
【図面の簡単な説明】
【図１】本発明のパチンコ玉検出装置の一実施例としての玉確認スイッチの構成図である。
【図２】同じくその回路図である。
【図３】本実施例の玉確認スイッチ等を取付けたパチンコ台の概略構成図である。
【図４】送り出し装置２０の構造を示す斜視図である。
【図５】同じくその断面図である。
【図６】パチンコ台の全体の制御をつかさどる電子制御装置６０の構成を例示するブロック図である。
【図７】本発明の他の構成例を示す回路図である。
【図８】電子制御装置６０が実行する処理の一例を示すフローチャートである。
【図９】従来のパチンコ玉検出の様子を示す説明図である。
【符号の説明】
１０…景品球タンク
１２…導出樋
１８…玉確認スイッチ
１９…景品球確認スイッチ
２０…送り出し装置
６０…電子制御装置
６１…ＭＰＵ
７１…筐体
７３…基板
７５…接続端子
ＣＯ…高周波発振回路
Ｌ１，Ｌ２…コイル
ＳＷ…スイッチング回路
Ｔｒ１…双トランジスタ
【図１】
0003558018.tif 000002
【図２】
0003558018.tif 000003
【図３】
0003558018.tif 000004
【図４】
0003558018.tif 000005
【図５】
0003558018.tif 000006
【図６】
0003558018.tif 000007
【図７】
0003558018.tif 000008
【図８】
0003558018.tif 000009
【図９】
0003558018.tif 000010